(57)【要約】【課題】能力以上の空間で空気清浄機を使用しても室内の清浄の低下を防止することができることを目的とする。【解決手段】吹出ルーバー２と、吸込ルーバー４と空気清浄部７と送風部８と通信部９と制御部１１を備えた空気清浄機であって、通信部９は、他の空気清浄機に対して汚れセンサ６で検知した検知結果を送信・受信し、制御部１１は、汚れセンサ６で検知した検知結果に基づき吹出ルーバー２の吹出角度と吸込ルーバー４の吸込角度を変更するものである。そして、この空気清浄機を複数台用いた空気清浄システムによれば、空気清浄機単体の能力以上の空間であっても室内の空気の清浄の低下を防止することができる空気清浄機を得られる。【選択図】図２
2018132246.tif 000002
【特許請求の範囲】
【請求項１】
本体に吹出ルーバーを備えた吹出口と、
吸込ルーバーを備えた吸込口と、
室内の汚れを検知する汚れセンサを設け、
前記本体の内部に空気清浄部と送風部を設けた空気清浄機において、
前記吹出ルーバーと、
前記吸込ルーバーの角度を制御する制御部と、
他の空気清浄機とデータの送受信を行う通信部を設け、
前記通信部は、他の空気清浄機に対して前記汚れセンサで検知した検知結果を送信・受信し、
前記制御部は、前記汚れセンサで検知した検知結果に基づき前記吹出ルーバーの吹出角度と前記吸込ルーバーの吸込角度を変更する空気清浄機。
【請求項２】
前記制御部は、
前記本体の室内における設置位置を設定する設置位置設定部を有し、
前記設置位置設定部に設定した前記本体の設置位置に応じて、
前記吹出ルーバーの吹出角度と前記吸込ルーバーの吸込角度を変更する請求項１に記載の空気清浄機。
【請求項３】
請求項１または２記載の空気清浄機を複数台用いた空気清浄システムであって、
前記設置位置設定部は、室内に設置する複数の前記空気清浄機の設置位置を設定でき、
前記複数の空気清浄機は、それぞれ自己の前記汚れセンサで検知した検知結果を前記通信部を介して送受信することにより、前記検知結果を共有し、
共有した前記検知結果に応じて各空気清浄機が運転する空気清浄システム。
【請求項４】
共有した前記検知結果のうち最大値を検知した前記空気清浄機は、運転風量を他の前記空気清浄機よりも大きくする請求項３記載の空気清浄システム。
【請求項５】
請求項１または２記載の空気清浄機を複数台用いた空気清浄システムであって、
前記設置位置設定部は、室内に設置する複数の前記空気清浄機の設置位置を設定でき、
前記複数の空気清浄機のうち、所定の空気清浄機の通信部が発信する前記汚れセンサで検知した検知結果に応じて各空気清浄機が運転する空気清浄システム。
【請求項６】
それぞれの前記空気清浄機の前記制御部は、それぞれの前記吹出ルーバーの吹出角度とそれぞれの前記吸込ルーバーの吸込角度を略同じ方向に向ける請求項３〜５いずれかひとつに記載の空気清浄システム。
【請求項７】
前記制御部は、
前記吹出ルーバーの吹出角度を所定の間隔で変更し、
前記吹出し角度ごとに前記汚れセンサの検知結果を確認し、
前記汚れセンサの検知結果の減少度合いの小さい吹出し角度を決定する請求項６記載の空気清浄システム。
【発明の詳細な説明】
【技術分野】
【０００１】
本発明は、一般家庭や事務所、会議室等の広い部屋に使用される空気清浄機に関するものである。
【背景技術】
【０００２】
従来、この種の空気清浄機は、埃の大小を検出して気流により埃を舞い上げて効率よく埃を吸気口より回収するものが知られている（例えば、特許文献１参照）。
【０００３】
以下、その空気清浄機について、図４を参照しながら説明する。
【０００４】
空気清浄機の本体１０１は、正面にはフロントパネル１０２を設け、側面には吸気口１０３を設けている。
【０００５】
また、前記本体１０１の下部には、開閉可能な開閉式吸気口１０４を備えている。
【０００６】
そして、本体１０１の内部には空気を清浄化するフィルター１０５と、ファンモーター１０６とを備えている。
【０００７】
また、本体１０１の天面には、前記ファンモーター１０６の回転運動により発生する送風を、前記本体１０１外へ吹き出す吹出部１０７を備えている。
【０００８】
そして、前記本体１０１の側面には、粉塵を検出する粉塵検出部１０８を備えている。
【０００９】
また、本体１０１の上部には、操作部１０９を備えた構成としている。
【００１０】
上記構成において、前記操作部１０９で自動運転モードに設定すると、前記粉塵検出部１０８は大きな粉塵を多く検出した場合は開閉式吸気口１０４を開口して下方からの吸い込み量を増やし大きな粉塵を回収する。また、大きな粉塵を少なく検出した場合は、開閉式吸気口１０４を閉口して側面の吸気口１０３からの吸い込み量を増やし小さな粉塵を回収する。
【先行技術文献】
【特許文献】
【００１１】
【特許文献１】特開２００８−１４２６２４号公報
【発明の概要】
【発明が解決しようとする課題】
【００１２】
このような従来の空気清浄機では、例えば、４畳用の空気清浄機は、４畳の室内空間全体に行き渡るように空気清浄機の吹出口から吹出される空気の吹出角度や強さ（能力）を設定している。この空気清浄機の単体を１０畳の室内空間に設置した場合、室内空間が広くなった部分には、この４畳用の空気清浄機から吹出される空気が行き届かないことになる。すなわち、空気清浄機を設計された能力以上の空間で使用すると、吹き出す空気は部屋全体に行き届かず、室内の清浄度が良くならない、という課題を有していた。
【００１３】
そこで本発明は、上記従来の課題を解決するものであり、能力以上の空間で空気清浄機を使用しても室内の清浄の低下を防止することができる空気清浄機を提供することを目的とする。
【課題を解決するための手段】
【００１４】
そして、この目的を達成するために本発明に係る空気清浄機は、
本体に吹出ルーバーを備えた吹出口と、
吸込ルーバーを備えた吸込口と、
室内の汚れを検知する汚れセンサを設け、
前記本体の内部に空気清浄部と送風部を設けた空気清浄機において、
前記吹出ルーバーの吹出角度と前記吸込ルーバーの吸込角度を制御する制御部と、
他の空気清浄機とデータの送受信を行う通信部を設け、
前記通信部は、他の空気清浄機に対して前記汚れセンサで検知した検知結果を送信・受信し、
前記制御部は、前記汚れセンサで検知した検知結果に基づき前記吹出ルーバーの吹出角度と前記吸込ルーバーの吸込角度を変更する、
ことを特徴とするものであり、これにより所期の目的を達成するものである。
【発明の効果】
【００１５】
本発明によれば、
本体に吹出ルーバーを備えた吹出口と、
吸込ルーバーを備えた吸込口と、
室内の汚れを検知する汚れセンサを設け、
前記本体の内部に空気清浄部と送風部を設けた空気清浄機において、
前記吹出ルーバーの吹出角度と前記吸込ルーバーの吸込角度を制御する制御部と、
他の空気清浄機とデータの送受信を行う通信部を設け、
前記通信部は、他の空気清浄機に対して前記汚れセンサで検知した検知結果を送信・受信し、
前記制御部は、前記汚れセンサで検知した検知結果に基づき前記吹出ルーバーの吹出角度と前記吸込ルーバーの吸込角度を変更する、
という構成にしたことにより、汚れセンサの検知結果は、通信部で送受信することによって他の空気清浄機と共有することができる。そして、共有した汚れセンサの検知結果に基づき吹出ルーバーや吸込ルーバーを可変させるので、他の空気清浄機と連携して、空気清浄機単体の能力以上の空間で室内の清浄の低下を防止することができる、
という効果を得ることができる。
【図面の簡単な説明】
【００１６】
【図１】本発明の実施の形態１に係る空気清浄機の斜視図
【図２】同空気清浄機の室内配置図
【図３】同空気清浄機の操作部の表示例を示す図
【図４】従来の空気清浄機の構造図
【発明を実施するための形態】
【００１７】
本発明に係る空気清浄機は、
本体に吹出ルーバーを備えた吹出口と、
吸込ルーバーを備えた吸込口と、
室内の汚れを検知する汚れセンサを設け、
前記本体の内部に空気清浄部と送風部を設けた空気清浄機において、
前記吹出ルーバーの吹出角度と前記吸込ルーバーの吸込角度を制御する制御部と、
他の空気清浄機とデータの送受信を行う通信部を設け、
前記通信部は、他の空気清浄機に対して前記汚れセンサで検知した検知結果を送信・受信し、
前記制御部は、前記汚れセンサで検知した検知結果に基づき前記吹出ルーバーの吹出角度と前記吸込ルーバーの吸込角度を変更する、という構成を有する。
【００１８】
これにより、汚れセンサの検知結果は、通信部で送受信することによって他の空気清浄機と共有することができる。そして、共有した汚れセンサの検知結果に基づき吹出ルーバーや吸込ルーバーを可変させるので、他の空気清浄機と連携して、空気清浄機単体の能力以上の空間で室内の清浄の低下を防止することができる。すなわち、ある空気清浄機から設定されたルーバーの角度に沿って吹出される空気の流れを阻害することがないように、他の空気清浄機のルーバーの角度を可変させて清浄空気を吹き出すので、能力以上の空間で空気清浄機を使用しても室内の清浄の低下を防止することができる、という効果を得ることができる。
【００１９】
また、前記制御部は、
前記本体の室内における設置位置を設定する設置位置設定部を有し、
前記設置位置設定部に設定した前記本体の設置位置に応じて、
前記吹出ルーバーの吹出角度と前記吸込ルーバーの吸込角度を変更する、
という構成を有する。
【００２０】
これにより、前記制御部は設置位置設定部に設定した室内における本体の設置位置に応じ前記吹出ルーバーの吹出角度と前記吸込ルーバーの吸込角度を変更させることとなるので、更に能力以上の空間で空気清浄機を使用しても室内の清浄の低下を防止することができる、
という効果を奏する。
【００２１】
また、上述の空気清浄機を複数台用いた空気清浄システムであって、
前記設置位置設定部は、室内に設置する複数の前記空気清浄機の設置位置を設定でき、
前記複数の空気清浄機は、それぞれ自己の前記汚れセンサで検知した検知結果を前記通信部を介して送受信することにより、前記検知結果を共有し、
共有した前記検知結果に応じて各空気清浄機が運転するという構成にしてもよい。
【００２２】
これにより、複数の空気清浄機を同一の大きな空間に設置し、設置場所によって汚れ度合いが異なる場合でも、他の空気清浄機の汚れセンサが検知した結果を用いて運転することになる。従って、空気清浄機単体では能力以上の空間で空気清浄機を使用しても室内の清浄の低下を防止することができる、
また、共有した前記検知結果のうち最大値を検知した前記空気清浄機は、運転風量を他の前記空気清浄機よりも大きくしてもよい。これにより、より汚れ度合いの大きい場所の周辺で空気清浄の処理量が大きくなる。従って、空気清浄機単体では能力以上の空間で空気清浄機を使用しても室内の清浄の低下を防止することができる、
また、上述の空気清浄機を複数台用いた空気清浄システムであって、
前記設置位置設定部は、室内に設置する複数の前記空気清浄機の設置位置を設定でき、
前記複数の空気清浄機のうち、所定の空気清浄機の通信部が発信する前記汚れセンサで検知した検知結果に応じて各空気清浄機が運転するという構成にしてもよい。
【００２３】
これにより、複数設置した空気清浄機のうち、代表を設定して室内の汚れを検知する空気清浄機を設定するので、汚れやすい場所を指定した運転や、あまり室内の清浄度に影響のない場所で検知された汚れセンサの検知結果を無視した運転ができる。
【００２４】
また、それぞれの前記空気清浄機の前記制御部は、それぞれの前記吹出ルーバーの吹出角度とそれぞれの前記吸込ルーバーの吸込角度を略同じ方向に向けるという構成にしても良い。
【００２５】
これにより、複数の空気清浄機へ吸い込まれる空気の流れ、複数の空気清浄機から吹き出す空気の流れは、空気清浄機が設置された空間において同じ方向になるので、設置された複数の空気清浄機が発生させる空気の流れは、互いに干渉せず、効率的に室内空間を清浄化することができる。
【００２６】
以下、本発明の実施の形態について図面を参照しながら説明する。
【００２７】
なお、以下の実施の形態は、本発明を具体化した一例であって、本発明の技術的範囲を限定するものではない。
【００２８】
また、全図面を通して、同一の部位については、同一の符号を付して二度目以降の説明を省略している。
【００２９】
さらに、各図面において、本発明に直接には関係しない各部の詳細については、説明を省略している。
（実施の形態１）
図１は、本実施の形態１における空気清浄機の斜視図である。
【００３０】
図１に示すように、本実施の形態における空気清浄機は、本体１の上部には吹出ルーバー２を備えた吹出口３を備える。また、本体１の下部には、吸込ルーバー４を備えた吸込口５を備える。吹出口３からの送風は、本体１内で清浄化された気流を発生させて室内空間全体に行き渡らせる。そして、室内の清浄化対象空気は、下部の吸込口５から本体１内に吸い込まれる構成となっている。
【００３１】
吹出ルーバー２は、本体１の内部に備えた制御部１１からの電気信号により回転動作可能な駆動手段（ステッピングモータなど）（図示せず）で動かされる。そして、この駆動手段を動作させることで、吹出ルーバー２の向き、すなわち、吹出し方向は、上下および左右方向に変更される。また、吸込ルーバー４も、同様に、制御部１１からの電気信号により回転動作可能とし、上下左右の方向に吸込ルーバー４の向きを変更させ吸込み後方を変更する。
【００３２】
また、本体１の内部には、室内の汚れを検知する汚れセンサ６と空気清浄部７と送風部８が設けられている。
【００３３】
さらに、本体１は、送受信機能を有する通信部９と本体１を動作させるための入力・設定操作を行う操作部１０を備える。
【００３４】
汚れセンサ６は、室内の汚れ量を検知するために、吸込口５の内部周辺に配置されている。例えば、汚れセンサ６は、室内に浮遊している埃に赤外線を照射し反射する赤外線の量で埃の存在量を測定するものである。
【００３５】
制御部１１は、汚れセンサ６からの検知結果を電気信号で受信する。そして、制御部１１は、単位時間あたりの埃の存在量と運転時間から空気清浄部７の埃の集塵量を計算する。
【００３６】
空気清浄部７は、汚れである埃を集塵するフィルターを有している。このフィルターの寿命は、集塵することによって上昇するフィルターによる圧力損失が、設計値（最終圧力損失）になったときである。この最終圧力損失を示すときの保塵量（最大保塵量）から現在までの集塵量を引いて、残集塵量を計算することでフィルターの寿命を算出している。
【００３７】
送風部８は、羽根車とモータとで構成したものであり、羽根車の種類やモータの種類は特に限定しない。送風部８は、モータの回転数を変更させることで室内へ発生させる気流の速さを変更でき、吹出ルーバー２で送風方向を変更した吹出口３から室内全体へ気流を行き渡らせことができる。
【００３８】
また、室内の空気は、吸込口５から本体１内に吸込まれる。室内の空気に含まれた大きな埃や小さな埃は、空気清浄部７に付着し、埃を除去した気流を吹出口３から室内空間に供給する。このようにして、空気清浄機を運転継続することによって、室内の埃が除去され、清浄化されていく。
【００３９】
制御部１１は、前述したように、空気清浄部７の集塵可能な基準量（最大保塵量）に対し、その時点における集塵量を差し引いて残集塵量を算出する。そして、この残集塵量に対する使用可能時間を残時間として、空気清浄部７であるフィルターの寿命を算出する。
【００４０】
ここで、図２に示すように、空気清浄機の本体１が、室内２０に複数台設置された場合について説明する。すなわち、本実施の形態におけるもっとも特徴的な形態は、各空気清浄機が相互に連携して運転し、ひとつの空気清浄システムを構成している。本実施の形態では、図２に示すように、同一空間内に本体１を４台設置した場合で説明する。本体１は、下から反時計周りで、本体１ａ、本体１ｂ、本体１ｃ、本体１ｄとする。また、本体１ａにおける各部位の番号は、例えば吹出ルーバー２ａ、吹出口３ａ、吸込ルーバー４ａ、・・・とし、詳細の説明は省略する。以下の説明では、主として、空気清浄システムを構成しているひとつの空気清浄機Ａ（本体１ａ）の運転について説明する。説明中で、「他の空気清浄機」と明記した場合には、他の空気清浄機Ｂ、Ｃ、Ｄ（本体１ｂ、１ｃ、１ｄ）を示すものとする。
【００４１】
空気清浄機Ａの通信部９ａは、他の空気清浄機の通信部９ｂ、９ｃ、９ｄと通信する機能を有している。制御部１１ａは、通信部９ａが受信したデータに基づいて自己である空気清浄機Ａの運転を行う。
【００４２】
制御部１１ａは、汚れセンサ６ａの検知結果に基づいて、埃の大小の形状認識と埃の量（埃の情報）を認識する。そして、通信部９ａは、他の空気清浄機に空気清浄機Ａが入手した埃の情報を送信する。
【００４３】
操作部１０ａは、本体１ａの運転／停止の操作や、現在の汚れ量の表示、他の空気清浄機の情報設定ができる。更に、操作部１０ａは、現在の運転状況を使用者に通知することもできる。例えば、操作部１０ａは、液晶パネルや、７セグメントのＬＥＤによるデジタル表示によって、現在の運転状態、あるいは現在の汚れ度を視覚的に表現する。
【００４４】
また、操作部１０ａによる操作だけでなく、通信部９ａが、近距離通信を活用し、空気清浄機の運転／停止操作の指示、あるいは汚れセンサなどのデータ送受信を行うことができる。すなわち、このシステムは、ＨＥＭＳとして、室内の汚れ量や運転状態の監視、遠隔の操作端末からの運転指令の受信、電力量の表示による省エネ運転を促すなどの機能を有している。
【００４５】
室内２０は、会議等の大きな体積を有する空間であり、複数の空気清浄機の本体１が同一の室内２０空間内に設置されている。通常、空気清浄機は、壁面を背にして配置され、例えば、室内２０のほぼ角に配置される。そして、本体１は、効果的な気流を実現するために、それぞれの本体１間の距離を均等に配置し、吹出口３と吸込口５の位置関係を同等の距離にするとよい。
【００４６】
図３は、空気清浄機の操作部１０の表示例である。図３に示すように、操作部１０は、運転／停止機能をはじめ、親機／子機設定、汚れ量の表示や設置する室内における本体の設置場所の登録を可能とするものである。
【００４７】
親機／子機の設定の方法は、設置された複数の空気清浄機の本体１の中で、１台の親機（空気清浄機Ａ）と、その他を子機（空気清浄機Ｂ、Ｃ、Ｄ）と位置づけ、設置された空気清浄機のどれかの操作部１０の操作画面から入力操作で登録を可能とする。あるいは、親機となる空気清浄機Ａの操作部１０ａからのみ設定できるようにしても良い。本実施の形態では、図２の配置構成と同じ内容を登録するため、親機を中央下側とする本体１ａとし、その他を子機として半時計回りで、本体１ｂ、本体１ｃ、本体１ｄとしてアドレスを付与する。
【００４８】
操作部１０は、図３に示すように、升目状の表示部によって、本体１ａ、本体１ｂ、本体１ｃ、本体１ｄの位置に相当する場所に空気清浄機Ａ、Ｂ、Ｃ、Ｄを登録する。登録の方法は、例えば操作部１０にタッチ、あるいはタップする方法でよい。登録できた場合は、例えば色が変わるようにするとよい。この空気清浄機Ａ、Ｂ、Ｃ、Ｄの登録は、親機の操作部１０ａによるものでも、子機によるものでもよい。なお、空気清浄機Ａ、Ｂ、Ｃ、Ｄの配置位置の登録は、上記のような手動による方法だけでなく、空気清浄機Ａ、Ｂ、Ｃ、Ｄ間の相対位置を自動検出する方法、ＧＰＳ等を用いた自動認識による方法でもよい。
【００４９】
親機の本体１ａの制御部１１ａには、操作部１０で設定された室内２０における空気清浄機Ａ，Ｂ，Ｃ，Ｄの設置位置を設定する設置位置設定部１２ａを有している。設置位置設定部１２ａは、空気清浄機Ａ，Ｂ，Ｃ，Ｄの設置位置を表示部に表示された升目テーブルに対応したアドレスとして登録することで、室内２０空間のどの位置に空気清浄機が配置されているか認識させる。
【００５０】
制御部１１ａは、設置位置設定部１２ａが有する空気清浄機の配置情報によって、吹出口３ａからの吹出し方向を判断する。そして、制御部１１ａは、吹出ルーバー２の方向を決定する。
【００５１】
具体的な吹出し方向の制御方法について、図２を用いて説明する。
【００５２】
親機の本体１ａの制御部１１ａは、室内２０全体の汚れ量を確認するために、吹出ルーバー２ａの上下左右の吹出し方向（吹出角度）を、一定時間毎に変更して送風する。吹出ルーバー２ａの吹出角度とは、仰角α度、左右角β度のように、２つのパラメータで決定される。他の空気清浄機（子機）は、親機の１ａの吹出ルーバー２ａの吹出角度と同一角度で吹出ルーバー２ｂ、２ｃ、２ｄを設定して、送風部８も同一送風量で運転を実施する。そのため、室内２０内には、同一方向に気流が発生することになる。
【００５３】
その後、各本体１は、一定時間毎に吹出角度を変更し、その都度汚れセンサ６が検知した汚れ度を送風方向毎に記憶する。そして通信部９ｂ、９ｃ、９ｄは、それぞれの汚れセンサ６ｂ、６ｃ、６ｄが検地した結果を親機の通信部９ａに送信する。
【００５４】
親機の本体１ａは、各通信部９から汚れセンサ６の検知結果を受信する。制御部１１ａは、汚れセンサ６の検知結果を集計して、吹出ルーバー２の吹出角度をどの方向に設定した場合に，最も汚れ度の減少度合い、すなわち、清浄能力が高いか優先順位を決定する。つまり、制御部１１ａは、いろんな方向に送風するよう、吹出ルーバー２ａの吹出角度を設定する。そして、吹出角度ごとに汚れを検出し、汚れの減少度合いを確認する。このようにして、どの方向に送風した気流の汚れが効果的に減少するのかを、順位をつけて決定する。
【００５５】
そして、制御部１１ａは、その優先順位に結果により、室内２０を効率的に気流制御する送風方向を決定するので、本実施の形態による空気清浄システムは、複数の空気清浄機を用いて、効率的に室内の清浄化を行うことができる。そして、本実施の形態による空気清浄システムによれば、空気清浄機単体の能力以上の空間で室内２０の清浄の低下を防止することができる。
【００５６】
また、所定の間隔で吹出し気流の方向を変更するので、室内２０で空気が撹拌され、その結果、埃が舞い上がるため、床に沈殿している埃も回収が可能となるという効果もある。
【００５７】
なお、制御部１１ａは、室内２０の汚れ度が基準値以下になるまで継続運転をするように、空気清浄機Ａ、Ｂ、Ｃ、Ｄを制御する。
【００５８】
また、制御部１１ａは、室内２０の大きさに合わせて、空気清浄機Ａ、Ｂ、Ｃ、Ｄを選択して運転しても良い。室内２０が会議室等の大きな容積を有する場合において、一台の本体１ａでは集塵能力が不足と判断した場合、本実施の形態では、４台で連動運転させることになる。
【００５９】
また、制御部１１ａは、汚れセンサ６の検知結果の集計により、運転する空気清浄機Ａ、Ｂ、Ｃ、Ｄを選択したり、あるいは、送風部８の吹出し風量を変更しても良い。
【００６０】
また、親機の本体１ａは、送風部８を子機よりも大きな風量で動作させてもよい。
【００６１】
また、空気清浄機Ａ、Ｂ、Ｃ、Ｄのうち、汚れセンサ６が最も大きな検知結果を示した空気清浄機の吹き出し風量を他の空気清浄機よりも大きくしてもよい。この方法によれば、室内２０の中で汚れ度合いの大きい場所を効率的に清浄化できる。
【００６２】
なお、本実施の形態では、親機の制御部１１ａに汚れセンサ６の検知結果を集めるようにしたが、各通信部９が互いに汚れセンサ６の検知結果を送受信し、汚れセンサ６の検知結果を共有しても良い。そして、各制御部１１がそれぞれの判断で吹出し風量を決定しても良い。なお、吹出し角度は、親機の吹出し角度に従うものとする。
【産業上の利用可能性】
【００６３】
本発明に係る空気清浄機は、能力以上の空間で空気清浄機を使用しても室内の清浄の低下を防止することができるものであり、空間を制限することなく容易にレイアウト変更可能な店舗や会議室等の使用として有用である。
【符号の説明】
【００６４】
１，１ａ，１ｂ，１ｃ，１ｄ    本体
２，２ａ，２ｂ，２ｃ，２ｄ    吹出ルーバー
３，３ａ，３ｂ，３ｃ，３ｄ    吹出口
４，４ａ，４ｂ，４ｃ，４ｄ    吸込ルーバー
５，５ａ，５ｂ，５ｃ，５ｄ    吸込口
６，６ａ，６ｂ，６ｃ，６ｄ    汚れセンサ
７，７ａ，７ｂ，７ｃ，７ｄ    空気清浄部
８，８ａ，８ｂ，８ｃ，８ｄ    送風部
９，９ａ，９ｂ，９ｃ，９ｄ    通信部
１０，１０ａ，１０ｂ，１０ｃ，１０ｄ    操作部
１１，１１ａ，１１ｂ，１１ｃ，１１ｄ    制御部
１２，１２ａ，１２ｂ，１２ｃ，１２ｄ    設置位置設定部
【図１】
2018132246.tif 000003
【図２】
2018132246.tif 000004
【図３】
2018132246.tif 000005
【図４】
2018132246.tif 000006